(57)【要約】  機器本体の一つの面に設置された表示部の表示面積を拡大して、多人数が表示部に表示された情報を視認することを可能とする電子機器を提供する。  カーナビ１は機器本体２とこの機器本体２の前面２ａに設けられた表示ユニット３と駆動機構４を備えている。駆動機構４は表示支持部１４を一対備えている。表示支持部１４は前面２ａに設けられた開口部２２を通して機器本体２の内外に移動自在な移動シャーシ１７と移動シャーシ１７が機器本体２外に突出した状態において移動シャーシ１７の前面２ａから離れた側の先端部１７ｂが機器本体２の外側に向かうように前面２ａ寄りの基端部１７ａを中心として移動シャーシ１７を回転可能な回転部１８と移動シャーシ１７の先端部１７ｂに回転自在に設けられかつ表示ユニット３の縁部３ａが巻きつけられた巻きつけ部材１９とを備えている。
2009095992.tif 000002
【特許請求の範囲】
【請求項１】
機器本体と、該機器本体の一つの面上に設置された可撓性を有するスクリーン状の表示部とを備えた電子機器において、
前記一つの面に設けられた開口部を通して前記機器本体の内外に移動自在な移動部材と、
前記移動部材が前記機器本体外に突出した状態において、前記移動部材の前記一つの面から離れた側の先端部が前記機器本体の外側に向かうように前記一つの面寄りの基端部を中心として前記移動部材を回転可能な回転手段と、
前記移動部材の先端部に回転自在に設けられかつ前記表示部の縁部が巻きつけられた巻きつけ部材と、
を有した表示支持部を備えたことを特徴とする電子機器。
【請求項２】
前記表示支持部が、前記巻きつけ部材を前記表示部の縁部を巻き取る方向に付勢する付勢手段を備えたことを特徴とする請求項１記載の電子機器。
【請求項３】
前記表示支持部が、少なくとも、前記巻きつけ部材の前記移動部材の先端部に対する回転角を検出する検出手段と、前記移動部材の前記基端部の前記機器本体に対する回転角を検出する第２検出手段とのいずれかを備えたことを特徴とする請求項１又は請求項２記載の電子機器。
【請求項４】
前記表示支持部を一対設け、
これらの表示支持部が、それぞれの前記巻きつけ部材が前記表示部の互いに反対側に位置する縁部を巻きつけるように配置されていることを特徴とする請求項１乃至請求項３のうちいずれか一項に記載の電子機器。
【発明の詳細な説明】
【技術分野】
【０００１】
本発明は、例えば、表示部を機器本体の一つの面に設置した電子機器に関する。
【背景技術】
【０００２】
移動体としての自動車のインストルメントパネル（以下インパネと呼ぶ）には、電子機器としてのカーステレオ（例えば、特許文献１および特許文献２参照）が取り付けられる。この種のカーステレオは、前記インパネに取り付けられる機器本体とこの機器本体の一つの面としての前面に設置された液晶ディスプレイ等の表示部などを備えている。【０００３】
機器本体は、ＣＤプレーヤ、ＭＤ（Mini disc）プレーヤやナビゲーション装置を構成するＣＤ−ＲＯＭプレーヤなどの再生装置を内蔵している。表示部は、液晶ディスプレイ等に前記ナビゲーション装置における地図情報や、ＣＤプレーヤ及びＭＤプレーヤの再生状況を示す情報などを表示する。また、表示部には、前記ナビゲーション装置、ＣＤプレーヤ、ＭＤプレーヤの各種機能の動作指令を行う際に操作される操作ボタンが設けられている。
【特許文献１】特開２００３−２２３７８０号公報
【特許文献２】特開２００３−２２４３６９号公報
【発明の開示】
【発明が解決しようとする課題】
【０００４】
前述した特許文献１及び２に示された従来のカーステレオは、表示部の表示面積が小さいために、同時に表示部に表示された情報を視認できる人数が限定されてしまうという問題があった。【０００５】
したがって、本発明の目的は、例えば、機器本体の一つの面に設置された表示部の表示面積を拡大して、多人数が表示部に表示された情報を視認することを可能とする電子機器を提供することにある。
【課題を解決するための手段】
【０００６】
前述した課題を解決し目的を達成するために、請求項１に記載の本発明の電子機器は、機器本体と、該機器本体の一つの面上に設置された可撓性を有するスクリーン状の表示部とを備えた電子機器において、前記一つの面に設けられた開口部を通して前記機器本体の内外に移動自在な移動部材と、前記移動部材が前記機器本体外に突出した状態において、前記移動部材の前記一つの面から離れた側の先端部が前記機器本体の外側に向かうように前記一つの面寄りの基端部を中心として前記移動部材を回転可能な回転手段と、前記移動部材の先端部に回転自在に設けられかつ前記表示部の縁部が巻きつけられた巻きつけ部材と、を有した表示支持部を備えたことを特徴としている。
【図面の簡単な説明】
【０００７】
【図１】本発明の一実施例にかかる電子機器としてのカーナビの斜視図である。
【図２】図１に示されたカーナビの一対の表示支持部の双方が露出位置に位置付けられた状態を示す斜視図である。
【図３】図２に示されたカーナビの一対の表示支持部の双方が拡大位置に位置付けられた状態を示す斜視図である。
【図４】図１に示されたカーナビの一方の表示支持部が露出位置に位置付けられ他方の表示支持部が収容位置に位置付けられた状態を示す斜視図である。
【図５】図１に示されたカーナビの主要な構成を示すブロック図である。
【図６】図１に示されたカーナビの表示ユニットの平面図である。
【図７】図１に示されたカーナビの駆動機構の構成を示す説明図である。
【図８】図１に示されたカーナビの表示支持部のシャフトの端部を示す斜視図である。
【図９】図８に示されたシャフトの端部に巻きつけ部材が取り付けられた状態を示す斜視図である。
【図１０】図９に示されたシャフトと巻きつけ部材などの断面図である。
【図１１】図１に示されたカーナビの一対の表示支持部の双方が収容位置に位置付けられた状態を示す斜視図である。
【図１２】図１に示されたカーナビの一対の表示支持部の双方が拡大位置に位置付けられた状態を示す斜視図である。
【図１３】図１に示されたカーナビの一方の表示支持部が露出位置に位置付けられ他方の表示支持部が収容位置に位置付けられた状態を示す斜視図である。
【図１４】図１に示されたカーナビの一方の表示支持部が拡大位置に位置付けられ他方の表示支持部が収容位置に位置付けられた状態を示す斜視図である。
【符号の説明】
【０００８】
１  カーナビ（電子機器）
２  機器本体
２ａ  前面（一つの面）
３  表示ユニット（表示部）
１４  表示支持部
１７  移動シャーシ（移動部）
１８  回転部（回転手段）
１９  巻きつけ部材
２０  第１ロータリエンコーダ（検出手段）
２１  第２ロータリエンコーダ（第２検出手段）
３３  ねじりコイルばね（付勢手段）
【発明を実施するための最良の形態】
【０００９】
以下、本発明の一実施形態を説明する。本発明の一実施形態にかかる電子機器は、可撓性を有するスクリーン状の表示部の縁部を巻きつけた巻きつけ部材を備えた表示支持部を設け、当該表示支持部が、機器本体の内外に移動自在な移動部材と、前記移動部材の基端部を中心として、この移動部材の先端部が機器本体の外側に向かうように、当該移動部材を回転可能な回転手段を備えている。【００１０】
こうすることで、機器本体から移動部材を突出させて基端部を中心として当該移動部材を回転させることで、巻きつけ部材に巻きつけられた表示部が当該巻きつけ部材から展開する。このために、表示部の露出する面積が大きくなって、勿論、表示部の表示面積を拡大することができる。よって、多人数が表示部に表示された情報を視認することを可能とすることができる。【００１１】
表示支持部が、巻きつけ部材を表示部の縁部を巻き取る方向に付勢する付勢手段を備えていても良い。この場合、移動部材の先端部が機器本体の内側に向かう方向に当該移動部材を回転させる際に、巻きつけ部材が表示部の縁部を巻き取ることができる。【００１２】
また、表示支持部が、少なくとも、巻きつけ部材の回転角を検出する検出手段及び移動部材の基端部の回転角を検出する第２検出手段のいずれかを備えていても良い。この場合、検出手段が検出した巻きつけ部材の回転角及び第２検出手段が検出した移動部材の基端部の回転角に基づいて表示部を最適な向きと表示領域の大きさに変更できる。また、表示部の表示面積の大きさに応じて、適切に表示部に情報を表示することができる。【００１３】
さらに、表示支持部を一対備え、これら一対の表示支持部の巻きつけ部材が表示部の互いに反対側に位置する縁部を巻きつけていても良い。この場合、より表示部の表示面積を拡大させることができるとともに、一対の表示支持部の移動部材の機器本体の一つの面からの突出量を適宜変更することで、表示部の向きを任意に変更することができる。
【実施例】
【００１４】
本発明の一実施例を、図１ないし図１４に基づいて説明する。電子機器としてのカーナビゲーション装置（以下、カーナビと呼ぶ）１は、移動体としての自動車のインストルメントパネル（以下、インパネと呼ぶ）などに装着され、図１ないし図４、図５に示すように、機器本体２と、機器本体２に設置された表示部としての表示ユニット３と、駆動機構４（図５に示す）と、記憶手段としてのＲＯＭ６（図５に示す）と、ＥＰＲＯＭ７（図５に示す）と、制御手段としてのＣＰＵ８（図５に示す）などを備えている。【００１５】
機器本体２は、箱状に形成されている。機器本体２は、インパネに取り付けられる。なお、以下、図１などに示す前述した自動車の車幅方向を矢印Ｘで示して以下幅方向と呼び、前述した自動車の前後方向を矢印Ｙで示して以下奥行き方向と呼び、前述した自動車の高さ方向を矢印Ｚで示して以下厚み方向と呼ぶ。【００１６】
また、機器本体２は、図５に示すナビゲーションユニット９と、ＤＶＤプレーヤ１０と、テレビチューナ１１などを収容している。即ち、カーナビ１は、ナビゲーションユニット９と、ＤＶＤプレーヤ１０と、テレビチューナ１１を更に備えている。【００１７】
ナビゲーションユニット９は、前述した自動車の走行距離センサから該自動車のタイヤの回転に対応して車速パルス信号が入力する。ナビゲーションユニット９は、前述した奥行きＹ方向の加速度を検出する加速度センサや、ＧＰＳ（Global Positioning System：全地球測位システム）などを備えている。ナビゲーションユニット９は、前述した加速度センサやＧＰＳなどを用いて、自動車の位置を測定したり、自動車の移動方向などを算出する。そして、ナビゲーションユニット９は、自動車の位置や移動方向などを表示ユニット３に表示する。【００１８】
ＤＶＤプレーヤ１０は、周知のＤＶＤ（Digital Versatile Disk）―ＲＯＭ（Read Only Memory）やＤＶＤビデオなどを再生して、これらのＤＶＤ―ＲＯＭやＤＶＤビデオなどからの情報を表示ユニット３に表示する。テレビチューナ１１は、テレビ放送を受信して、受信して得た映像を表示ユニット３の表示パネル３ａに表示する。【００１９】
表示ユニット３は、機器本体２の自動車の乗員室側に露出する一つの面としての前面２ａに設置されている。表示ユニット３は、可撓性を有しスクリーン状のＥＬ（Electro luminescence：エレクトロルミネッセンス）表示装置により構成されている。表示ユニット３は、その平面形状が幅方向Ｘに長い矩形状に形成されている。表示ユニット３は、その長手方向の長さが、機器本体２の前面２ａの幅方向Ｘの幅よりに十分に長く形成されている。【００２０】
また、表示ユニット３は、図６に示すように、その縁部３ａの厚み方向Ｚの両端即ち上下両端部に、幅方向Ｘ即ち表示ユニット３の長手方向に沿って等間隔に貫通孔１２を設けている。表示ユニット３は、その長手方向即ち幅方向Ｘの両端部が駆動機構４の後述する表示支持部１４により機器本体２に対して移動自在に支持されている。表示ユニット３は、前述したナビゲーションユニット９と、ＤＶＤプレーヤ１０と、テレビチューナ１１からの情報を表示する。【００２１】
また、前述した機器本体２には、操作手段としての操作部１３（図５に示す）が取り付けられている。操作部１３は、複数の操作ボタンなどが設けられている。これらの操作ボタン則ち操作部１３は、前述した表示ユニット３に表示する情報を、ナビゲーションユニット９からの情報と、ＤＶＤプレーヤ１０からの情報と、テレビチューナ１１からの情報とを切り換えるためなどに用いられる。【００２２】
また、操作ボタン則ち操作部１３は、駆動機構４の各表示支持部１４の機器本体２からの出し入れや、各表示支持部１４が機器本体２外に突出した状態での後述する移動シャーシ１７の基端部１７ａを中心とした回転角度を調整するためなどに用いられる。【００２３】
駆動機構４は、図７に示すように、表示支持部１４を一対備えている。表示支持部１４は、機器本体２の幅方向Ｘの両端部に設けられている。表示支持部１４は、図７に示すように、固定ラック１５と、スライド部１６と、移動部材としての移動シャーシ１７と、回転手段としての回転部１８と、巻きつけ部材１９と、検出手段としての第１ロータリエンコーダ２０と、第２検出手段としての第２ロータリエンコーダ２１とを備えている。【００２４】
固定ラック１５は、機器本体２の前面２ａの幅方向Ｘの両端部に開口した開口部２２内に収容されかつ該機器本体２に固定されている。固定ラック１５は、直線状に形成されており、その長手方向は、前述した奥行き方向Ｙと平行に配置されている。固定ラック１５は、機器本体２の奥行き方向Ｙの全長に亘って設けられている。開口部２２は、機器本体２の厚み方向Ｚの略全長に亘って前記前面２ａに開口している。【００２５】
スライド部１６は、スライドシャーシ２３と、駆動源としてのモータ２４と、ウォーム歯車２５とを備えている。スライドシャーシ２３は、板金などで構成されて、平板状に形成されている。スライドシャーシ２３は、その表面が奥行き方向Ｙと厚み方向Ｚとの双方に対して平行となる状態で、前記開口部２２内に収容されている。モータ２４は、スライドシャーシ２３に固定されている。モータ２４の出力軸にはウォーム２６が取り付けられている。ウォーム歯車２５は、スライドシャーシ２３に厚み方向Ｚを中心として回転自在に支持されている。ウォーム歯車２５は、ウォーム２６と固定ラック１５との双方と噛み合っている。【００２６】
スライド部１６は、モータ２４が例えば正転駆動すると、固定ラック１５上をウォーム歯車２５が走行して、スライドシャーシ２３及び移動シャーシ１７即ち表示支持部１４を機器本体２内から開口部２２を通して機器本体２外に向かって移動する。スライド部１６は、モータ２４が例えば逆転駆動すると、固定ラック１５上をウォーム歯車２５が走行して、スライドシャーシ２３及び移動シャーシ１７即ち表示支持部１４を機器本体２外から開口部２２を通して機器本体２内に向かって移動する。即ち、移動シャーシは、前面２ａに設けられた開口部２２を通して機器本体２の内外に移動自在となっている。【００２７】
移動シャーシ１７は、板金などで構成されて、平板状に形成されている。移動シャーシ１７は、その表面が奥行き方向Ｙと厚み方向Ｚとの双方に対して平行となる状態で、前記開口部２２内に収容されている。移動シャーシ１７は、機器本体２の奥側即ち後述する露出位置での前面２ａ寄りの基端部１７ａがスライドシャーシ２３の前面２ａ寄りの端部に厚み方向Ｚを中心にして回転自在に連結されている。【００２８】
また、移動シャーシ１７の機器本体２の外側寄りの先端部１７ｂには、図８及び図９に示す円柱状のシャフト２７が設けられている。シャフト２７は、前記先端部１７ｂの厚み方向の両端に設けられ、その軸芯方向が厚み方向Ｚと平行に配置されている。【００２９】
回転部１８は、モータ２８と、連結歯車２９と、回転軸用歯車３０とを備えている。モータ２８は、スライドシャーシ２３に固定されており、その出力軸にピニオン３１が取り付けられている。連結歯車２９は、スライドシャーシ２３に矢印Ｘを中心として回転自在に支持されており、ピニオン３１と噛み合っている。回転軸用歯車３０は、移動シャーシ１７の前述した基端部１７ａに固定されている。回転軸用歯車３０は、連結歯車２９と噛み合っている。【００３０】
前述した構成によって、回転部１８は、例えば、モータ２８が正転駆動すると、機器本体２外に突出した移動シャーシ１７の前面２ａ寄りの基端部１７ａを中心として、当該移動シャーシ１７の機器本体２の前面２ａから離れた側の先端部１７ｂが機器本体２の外側に向かうように、厚み方向Ｚ回りに移動シャーシ１７を回転する。回転部１８は、モータ２８が逆転駆動すると、前述した基端部１７ａを中心として、先端部１７ｂが機器本体２の内側に向かうように、移動シャーシ１７を回転する。【００３１】
巻きつけ部材１９は、一つの表示支持部１４に一対設けられている。巻きつけ部材１９は、厚手の円環状に形成されている。巻きつけ部材１９は、図９に示すように、シャフト２７の両端部の外周に取り付けられて、当該シャフト２７に対して回転自在に支持されている。巻きつけ部材１９の外周面には、周方向に等間隔に係止突起３２が設けられている。係止突起３２は、前記貫通孔１２内に侵入して、当該貫通孔１２に係止する。【００３２】
巻きつけ部材１９は、その外周面から凸の係止突起３２が貫通孔１２に係止することで、表示ユニット３の幅方向Ｘの縁部３ａが巻きつけられている。このため、表示支持部１４は、それぞれの巻きつけ部材１９が表示ユニット３の互いに反対側に位置する縁部３ａを巻きつけるように配置されている。【００３３】
また、巻きつけ部材１９は、図１０に示す付勢手段としてのねじりコイルばね３３により、その外周面に表示ユニット３を巻き取る方向に付勢されている。なお、前記ねじりコイルばね３３は、金属などで構成され、かつ渦巻状に形成されて、その一端がシャフト２７外周面に固定されているとともに、他端が巻きつけ部材１９の内周面に固定されている。【００３４】
第１ロータリエンコーダ２０は、一対の巻きつけ部材１９のうちの一方と、当該一方が取り付けられたシャフト２７との間に設けられている。第１ロータリエンコーダ２０は、シャフト２７即ち移動シャーシ１７の先端部１７ｂに対する巻きつけ部材１９の回転角度を検出して、当該検出した回転角度をＣＰＵ８に向かって出力する。【００３５】
第２ロータリエンコーダ２１は、スライドシャーシ２３の先端部と、移動シャーシ１７の基端部１７ａとの間に設けられている。第２ロータリエンコーダ２１は、スライドシャーシ２３の先端部即ち機器本体２に対する移動シャーシ１７の基端部１７ａの回転角度を検出して、当該検出した回転角度をＣＰＵ８に向かって出力する。【００３６】
前述した構成によって、駆動機構４は、モータ２４が例えば正転駆動してウォーム歯車２５が固定ラック１５上を走行して、スライドシャーシ２３及び移動シャーシ１７を機器本体２内に収容された収容位置（図１に示す）から機器本体２外に排出された露出位置（図２に示す）に向かって、機器本体２の奥行き方向Ｙに沿って移動する。則ち、駆動機構４は、モータ２４が例えば正転駆動すると、開口部２２を通して、機器本体２内のスライドシャーシ２３及び移動シャーシ１７即ち表示支持部１４を機器本体２外に排出させる。【００３７】
また、駆動機構４は、モータ２４が例えば逆転駆動すると、ウォーム歯車２５が固定ラック１５上を走行して、スライドシャーシ２３及び移動シャーシ１７を前述の露出位置から収容位置に向かって、機器本体２の奥行き方向Ｙに沿って移動する。則ち、駆動機構４は、モータ２４が例えば逆転駆動すると、開口部２２を通して、機器本体２外の表示支持部１４を機器本体２内に収容する。こうして、駆動機構４は、機器本体２内に収容された収容位置と、機器本体２内から排出された露出位置とに亘って、表示支持部１４などを移動して、当該表示支持部１４を前面２ａを通して機器本体２の内外に移動する。このように、駆動機構４は、モータ２４を正転又は逆転駆動して、表示ユニット３の幅方向の各縁部３ａを機器本体２の前面２ａから突出させたり当該前面２ａ上に重ねる。【００３８】
さらに、前述した構成によって、駆動機構４は、モータ２８が例えば正転駆動すると、機器本体２内から排出されて則ち収容位置から移動されて露出位置（図２中に示す）に位置付けられた表示支持部１４を、前述した先端部１７ｂが機器本体２の外側に向かうように基端部１７ａを中心として回転させて、移動シャーシ１７が前面２ａと平行になる図３に示す拡大位置に向かって移動させる。【００３９】
また、駆動機構４は、モータ２８が例えば逆転駆動すると、前述した拡大位置に位置付けられた移動シャーシ１７即ち表示支持部１４を、前述した先端部１７ｂが機器本体２の内側に向かうように基端部１７ａを中心として回転して、前述した露出位置に向かって移動させる。このように、駆動機構４は、一対の表示支持部１４の移動シャーシ１７の先端部１７ｂ同士が接離するように、収容位置から移動されて位置する露出位置と、移動シャーシ１７が前面２ａと平行になる拡大位置とに亘って、移動シャーシ１７即ち表示支持部１４を変位させる。【００４０】
ＲＯＭ６は、カーナビ１を動作させるためのプログラムなどを記憶している。ＲＯＭ６は、ＣＰＵ８を後述するように動作するためのプログラムを記憶している。【００４１】
ＥＰＲＯＭ７は、周知の不揮発性メモリであり、収容位置から露出位置に位置付けられた後、露出位置でＣＰＵ８によって第２ロータリエンコーダ２１からの情報に基づいて移動シャーシ１７の基端部１７ａを中心とした回転方向と回転角度が書き込まれる。【００４２】
ＣＰＵ８は、特許請求の範囲に記した制御手段をなしており、図５に示すように、ナビゲーションユニット９と、ＤＶＤプレーヤ１０と、テレビチューナ１１と、前述した駆動機構４の各表示支持部１４のモータ２４，２８と、各表示支持部１４のロータリエンコーダ２０，２１と、ＲＯＭ６と、ＥＰＲＯＭ７などと接続しており、これらを制御することにより、カーナビ１全体の制御をつかさどる。【００４３】
ＣＰＵ８は、一対の表示支持部１４のうちの少なくとも一方を収容位置と露出位置とに亘って移動させる命令が、操作部１３の操作ボタンなどから入力されると、前記少なくとも一方の表示支持部１４のモータ２４を正転又は逆転駆動して、移動シャーシ１７を奥行き方向Ｙに沿って移動して、開口部２２を通して、機器本体２の内外に当該移動シャーシ１７を移動させる。【００４４】
また、ＣＰＵ８は、露出位置に位置付けられた移動シャーシ１７が基端部１７ａを中心として回転させる命令が、操作部１３の操作ボタンなどから入力されると、移動シャーシ１７が露出位置に位置付けられた表示支持部１４のモータ２８を正転又は逆転駆動して、移動シャーシ１７の基端部１７ａを中心として回転させる。このように、ＣＰＵ８は、表示ユニット３を駆動機構４に露出位置と拡大位置に向かって変位させる。【００４５】
さらに、ＣＰＵ８は、露出位置に位置付けられた移動シャーシ１７に取り付けられた巻きつけ部材１９の回転角度に基づいて、表示ユニット３の情報を表示可能な領域を算出して、当該領域に適切な大きさの情報を表示する。【００４６】
次に、前述した構成の電子機器としてのカーナビ１の動作を説明する。図１及び図１１に示すように、機器本体２内に一対の表示支持部１４の双方を収容した状態（則ち、表示支持部１４が収容位置に位置付けられた状態）で、操作部１３から一対の表示支持部１４の双方が機器本体２外に排出して露出位置に位置付けるための命令が入力されると、各表示支持部１４のモータ２４が正転駆動して、図２に示すように、各表示支持部１４の移動シャーシ１７が露出位置に位置付けられる。【００４７】
次に、操作部１３から前記露出位置に位置付けられた一対の表示支持部１４の移動シャーシ１７を、前記基端部１７ａを中心として回転させる命令が入力されると、各表示支持部１４のモータ２８が正転駆動して、先端部１７ｂが機器本体２の外側に向かうように移動シャーシ１７が基端部１７ａを中心として回転する。すると、一対の表示支持部１４の移動シャーシ１７の先端部１７ｂ間の間隔が徐々に広がりかつ係止突起３２が貫通孔１２内に係止しているので、ねじりコイルばね３３の付勢力に抗して、表示ユニット３の縁部３ａ上を転動するように、巻きつけ部材１９が回転する。そして、表示ユニット３の一対の表示支持部１４の移動シャーシ１７の先端部１７ｂ間に位置する部分の幅が拡大して、移動シャーシ１７が図３及び図１２に示す拡大位置に位置付けられる。【００４８】
また、本実施形態のカーナビ１では、操作部１３から一方の表示支持部１４を露出位置に位置付け、他方の表示支持部１４を収容位置に位置付ける命令が入力されると、当該命令どおりに、ＣＰＵ８が駆動機構４の各表示支持部１４のモータ２４を駆動して、図４及び図１３に示すように、一方の表示支持部１４を露出位置に位置付け、他方の表示支持部１４を収容位置に位置付ける。こうして、カーナビ１は、表示ユニット３の向きを適宜変更する。なお、いずれの移動シャーシ１７を移動するかを操作部１３で選択することで、表示ユニット３を操作者に適した方向に向かせることもできる。【００４９】
さらに、本実施形態のカーナビ１では、操作部１３から一方の表示支持部１４を拡大位置に位置付け、他方の表示支持部１４を収容位置に位置付ける命令が入力されてくると、当該命令通りに、ＣＰＵ８が駆動機構４の各表示支持部１４のモータ２４，２８を駆動して、図１４に示すように、一方の表示支持部１４を拡大位置に位置付け、他方の表示支持部１４を収容位置に位置付ける。こうして、カーナビ１は、表示ユニット３の幅を適宜変更する。【００５０】
また、本実施形態のカーナビ１では、ＣＰＵ８が、各表示支持部１４の第１ロータリエンコーダ２０の検出した巻きつけ部材１９の回転角度を算出して、表示ユニット３の向きを最適なものに適宜変更する。さらに、露出位置と拡大位置とに亘って、各表示支持部１４の移動シャーシ１７が移動する際には、第２エンコーダ２１が検出した移動シャーシ１７の基端部１７ａの回転角度に基づいて表示ユニット３の表示領域の大きさを最適なものに適宜変更する。すなわち、操作部１３からの命令により移動シャーシ１７の位置を適宜調整することで、表示ユニット３を最適な向きと表示領域の大きさに設定できる。さらに、表示ユニット３の表示領域が拡大した際には、表示する情報を増やしたり大きくしたりして利便性を高めることができる。【００５１】
本実施例によれば、可撓性を有するスクリーン状の表示ユニット３の縁部３ａを巻きつけた巻きつけ部材１９を備えた表示支持部１４を設け、当該表示支持部１４が、機器本体２の内外に移動自在な移動シャーシ１７と、前記移動シャーシ１７の基端部１７ａを中心として、この移動シャーシ１７の先端部１７ｂが機器本体２の外側に向かうように、当該移動シャーシ１７を回転可能な回転部１８を備えている。【００５２】
このため、機器本体２から移動シャーシ１７を突出させて基端部１７ａを中心として当該移動シャーシ１７を回転させることで、巻きつけ部材１９に巻きつけられた表示ユニット３が当該巻きつけ部材１９から展開する。このために、表示ユニット３の露出する面積が大きくなって、勿論、表示ユニット３の表示面積を拡大することができる。よって、多人数が表示ユニット３に表示された情報を視認することを可能とすることができる。【００５３】
表示支持部１４が、巻きつけ部材１９を表示ユニット３の縁部３ａを巻き取る方向に付勢するねじりコイルばね３３を備えている。このため、移動シャーシ１７の先端部１７ｂが機器本体２の内側に向かう方向に当該移動シャーシ１７を回転させる際に、巻きつけ部材１９が表示ユニット３の縁部３ａを巻き取ることができる。【００５４】
また、表示支持部１４が、巻きつけ部材１９の回転角を検出する第１ロータリエンコーダ２０及び移動シャーシ１７の回転角度を検出する第２ロータリエンコーダ２１を備えている。このため、第１ロータリエンコーダ２０が検出した巻きつけ部材１９の回転角及び第２ロータリエンコーダ２１が検出した移動シャーシ１７の基端部１７ａの回転角度に基づいて表示ユニット３を最適な向きと表示領域の大きさに変更できる。また、表示ユニット３の表示面積の大きさに応じて、適切に表示ユニット３に情報を表示することができる。
なお、少なくともこれらのエンコーダ２０，２１のうちのいずれかを備えれば表示ユニット３の表示領域の大きさと向きを最適なものに変更できる。即ち、本発明では、少なくともエンコーダ２０，２１のうちのいずれかを備えればよい。【００５５】
さらに、表示支持部１４を一対備え、これら一対の表示支持部１４の巻きつけ部材１９が表示ユニット３の互いに反対側に位置する縁部３ａを巻きつけている。このため、より表示ユニット３の表示面積を拡大させることができるとともに、一対の表示支持部１４の移動シャーシ１７の機器本体２の前面２ａからの突出量を適宜変更することで、表示ユニット３の向きを任意に変更することができる。【００５６】
前述した実施例によれば、以下のカーナビ１が得られる。【００５７】
（付記）  機器本体２と、該機器本体２の前面２ａ上に設置された可撓性を有するスクリーン状の表示ユニット３とを備えたカーナビにおいて、
前記前面２ａに設けられた開口部２２を通して前記機器本体２の内外に移動自在な移動シャーシ１７と、
前記移動シャーシ１７が前記機器本体２外に突出した状態において、前記移動シャーシ１７の前記前面２ａから離れた側の先端部１７ｂが前記機器本体２の外側に向かうように前記前面２ａ寄りの基端部１７ａを中心として前記移動シャーシ１７を回転可能な回転部１８と、
前記移動シャーシ１７の先端部１７ｂに回転自在に設けられかつ前記表示ユニット３の縁部３ａが巻きつけられた巻きつけ部材１９と、
を有した表示支持部を備えたことを特徴とするカーナビ１。【００５８】
付記によれば、機器本体２から移動シャーシ１７を突出させて基端部１７ａを中心として当該移動シャーシ１７を回転させることで、巻きつけ部材１９に巻きつけられた表示ユニット３が当該巻きつけ部材１９から展開する。このために、表示ユニット３の露出する面積が大きくなって、勿論、表示ユニット３の表示面積を拡大することができる。よって、多人数が表示ユニット３に表示された情報を視認することを可能とすることができる。【００５９】
なお、前述した実施例は本発明の代表的な形態を示したに過ぎず、本発明は、実施例に限定されるものではない。即ち、本発明の骨子を逸脱しない範囲で種々変形して実施することができる。
【図１】
2009095992.tif 000003
【図２】
2009095992.tif 000004
【図３】
2009095992.tif 000005
【図４】
2009095992.tif 000006
【図５】
2009095992.tif 000007
【図６】
2009095992.tif 000008
【図７】
2009095992.tif 000009
【図８】
2009095992.tif 000010
【図９】
2009095992.tif 000011
【図１０】
2009095992.tif 000012
【図１１】
2009095992.tif 000013
【図１２】
2009095992.tif 000014
【図１３】
2009095992.tif 000015
【図１４】
2009095992.tif 000016
【手続補正書】
【提出日】平成21年11月26日(2009.11.26)
【手続補正１】
【補正対象書類名】特許請求の範囲
【補正対象項目名】全文
【補正方法】変更
【補正の内容】
【特許請求の範囲】
【請求項１】
機器本体と、該機器本体の一つの面上に設置された可撓性を有するスクリーン状のＥＬ表示部とを備えた電子機器において、
前記一つの面に設けられた開口部を通して前記機器本体の内外に移動自在な移動部材と、
前記移動部材が前記機器本体外に突出した状態において、前記移動部材の前記一つの面から離れた側の先端部が前記機器本体の外側に向かうように前記一つの面寄りの基端部を中心として前記移動部材を回転可能な回転手段と、前記移動部材の先端部に回転自在に設けられかつ前記ＥＬ表示部の縁部が巻きつけられた巻きつけ部材と、を有した表示支持部と、
操作者が前記表示支持部の移動に関する命令を入力可能な操作部と、
前記表示支持部の駆動を制御する制御手段と、を備え、
前記表示支持部は、一対設けられるとともに、少なくとも、前記巻きつけ部材の前記移動部材の先端部に対する回転角を検出する検出手段と、前記移動部材の前記基端部の前記機器本体に対する回転角を検出する第２検出手段とを備え、
前記制御手段は、前記操作部が前記移動に関する命令を入力されると、前記検出手段及び前記第２検出手段で検出された回転角に基づいて前記一対の表示支持部の各々を独立して駆動させて、前記ＥＬ表示部を前記操作者が所望する向きに位置づけることを特徴とする電子機器。
【請求項２】
前記表示支持部が、前記巻きつけ部材を前記表示部の縁部を巻き取る方向に付勢する付勢手段を備えたことを特徴とする請求項１記載の電子機器。
【請求項３】
前記一対の表示支持部が、それぞれの前記巻きつけ部材が前記表示部の互いに反対側に位置する縁部を巻きつけるように配置されていることを特徴とする請求項１又は請求項２に記載の電子機器。
【手続補正２】
【補正対象書類名】明細書
【補正対象項目名】０００２
【補正方法】変更
【補正の内容】
【０００２】
［０００６］
前述した課題を解決し目的を達成するために、請求項１に記載の本発明の電子機器は、機器本体と、該機器本体の一つの面上に設置された可撓性を有するスクリーン状のＥＬ表示部とを備えた電子機器において、前記一つの面に設けられた開口部を通して前記機器本体の内外に移動自在な移動部材と、前記移動部材が前記機器本体外に突出した状態において、前記移動部材の前記一つの面から離れた側の先端部が前記機器本体の外側に向かうように前記一つの面寄りの基端部を中心として前記移動部材を回転可能な回転手段と、前記移動部材の先端部に回転自在に設けられかつ前記ＥＬ表示部の縁部が巻きつけられた巻きつけ部材と、を有した表示支持部と、操作者が前記表示支持部の移動に関する命令を入力可能な操作部と、前記表示支持部の駆動を制御する制御手段と、を備え、前記表示支持部は、一対設けられるとともに、少なくとも、前記巻きつけ部材の前記移動部材の先端部に対する回転角を検出する検出手段と、前記移動部材の前記基端部の前記機器本体に対する回転角を検出する第２検出手段とを備え、前記制御手段は、前記操作部が前記移動に関する命令を入力されると、前記検出手段及び前記第２検出手段で検出された回転角に基づいて前記一対の表示支持部の各々を独立して駆動させて、前記ＥＬ表示部を前記操作者が所望する向きに位置づけることを特徴としている。
［図面の簡単な説明］
［０００７］
［図１］本発明の一実施例にかかる電子機器としてのカーナビの斜視図である。
［図２］図１に示されたカーナビの一対の表示支持部の双方が露出位置に位置付けられた状態を示す斜視図である。
［図３］図２に示されたカーナビの一対の表示支持部の双方が拡大位置に位置付けられた状態を示す斜視図である。
［図４］図１に示されたカーナビの一方の表示支持部が露出位置に位置付けられ他方の表示支持部が収容位置に位置付けられた状態を示す斜視図である。
［図５］図１に示されたカーナビの主要な構成を示すブロック図である。
［図６］図１に示されたカーナビの表示ユニットの平面図である。
［図７］図１に示されたカーナビの駆動機構の構成を示す説明図である。
［図８］図１に示されたカーナビの表示支持部のシャフトの端部を示す斜視図である。
［図９］図８に示されたシャフトの端部に巻きつけ部材が取り付けられた状態を示す斜視図である。
［図１０］図９に示されたシャフトと巻きつけ部材などの断面図である。
［図１１］図１に示されたカーナビの一対の表示支持部の双方が収容位置に位置付けられた状態を示す斜視図である。
［図１２］図１に示されたカーナビの一対の表示支持部の双方が拡大位置に位置付けられた状態を示す斜視図である。
【国際調査報告】
2009095992.tif 000017
2009095992.tif 000018
2009095992.tif 000019